(57)【要約】【課題】画像データの編集作業をより効率良く行うことのできる技術を提供する。【解決手段】本発明の画像出力装置は、画像データを編集する編集作業で使用される第１表示装置に表示するベクトルスコープ画像データを出力する画像出力装置であって、編集対象の第１画像データの色分布を示す第１ベクトルスコープ画像データを生成する第１生成手段と、第１画像データを第２表示装置での表示に適するように変換した第２画像データの色分布を示す第２ベクトルスコープ画像データを生成する第２生成手段と、第１ベクトルスコープ画像データと第２ベクトルスコープ画像データの少なくとも一方を選択し、選択したベクトルスコープ画像データを出力する出力手段と、を有する。【選択図】図２
2015087857.tif 000002
【特許請求の範囲】
【請求項１】
画像データを編集する編集作業で使用される第１表示装置に表示するベクトルスコープ画像データを出力する画像出力装置であって、
編集対象の第１画像データの色分布を示す第１ベクトルスコープ画像データを生成する第１生成手段と、
前記第１表示装置での表示に適した画像データを色域が前記第１表示装置より狭い第２表示装置での表示に適した画像データに変換するための変換プロファイルを用いて、前記第１画像データを前記第２表示装置での表示に適するように変換した第２画像データの色分布を示す第２ベクトルスコープ画像データを生成する第２生成手段と、
前記第１ベクトルスコープ画像データと前記第２ベクトルスコープ画像データの少なくとも一方を選択し、選択したベクトルスコープ画像データを出力する出力手段と、
を有することを特徴とする画像出力装置。
【請求項２】
前記出力手段は、前記第１ベクトルスコープ画像データと前記第２ベクトルスコープ画像データの両方を選択した場合に、
前記第１ベクトルスコープ画像データと前記第２ベクトルスコープ画像データを合成して、前記第１画像データの色分布と前記第２画像データの色分布との両方を示す第３ベクトルスコープ画像データを生成し、
前記第１ベクトルスコープ画像データと前記第２ベクトルスコープ画像データの代わりに、前記第３ベクトルスコープ画像データを出力する
ことを特徴とする請求項１に記載の画像出力装置。
【請求項３】
前記第２表示装置は、前記編集作業よりも後の作業で使用される表示装置である
ことを特徴とする請求項１または２に記載の画像出力装置。
【請求項４】
前記変換プロファイルを外部装置から取得する取得手段をさらに有する
ことを特徴とする請求項１〜３のいずれか１項に記載の画像出力装置。
【請求項５】
前記外部装置は前記第２表示装置である
ことを特徴とする請求項４に記載の画像出力装置。
【請求項６】
前記第１画像データは、ＡＣＥＳ規格の画像データであり、
前記変換プロファイルは、前記ＡＣＥＳ規格で定義されているＲＲＴ処理、ＯＤＴ処理、または、その両方を行うためのプロファイルである
ことを特徴とする請求項１〜５のいずれか１項に記載の画像出力装置。
【請求項７】
画像データを編集する編集作業で使用される第１表示装置に表示するベクトルスコープ画像データを出力する画像出力装置の制御方法であって、
編集対象の第１画像データの色分布を示す第１ベクトルスコープ画像データを生成する第１生成ステップと、
前記第１表示装置での表示に適した画像データを色域が前記第１表示装置より狭い第２表示装置での表示に適した画像データに変換するための変換プロファイルを用いて、前記第１画像データを前記第２表示装置での表示に適するように変換した第２画像データの色分布を示す第２ベクトルスコープ画像データを生成する第２生成ステップと、
前記第１ベクトルスコープ画像データと前記第２ベクトルスコープ画像データの少なくとも一方を選択し、選択したベクトルスコープ画像データを出力する出力ステップと、
を有することを特徴とする画像出力装置の制御方法。
【請求項８】
前記出力ステップでは、前記第１ベクトルスコープ画像データと前記第２ベクトルスコ
ープ画像データの両方を選択した場合に、
前記第１ベクトルスコープ画像データと前記第２ベクトルスコープ画像データを合成して、前記第１画像データの色分布と前記第２画像データの色分布との両方を示す第３ベクトルスコープ画像データを生成し、
前記第１ベクトルスコープ画像データと前記第２ベクトルスコープ画像データの代わりに、前記第３ベクトルスコープ画像データを出力する
ことを特徴とする請求項７に記載の画像出力装置の制御方法。
【請求項９】
前記第２表示装置は、前記編集作業よりも後の作業で使用される表示装置である
ことを特徴とする請求項７または８に記載の画像出力装置の制御方法。
【請求項１０】
前記変換プロファイルを外部装置から取得する取得ステップをさらに有する
ことを特徴とする請求項７〜９のいずれか１項に記載の画像出力装置の制御方法。
【請求項１１】
前記外部装置は前記第２表示装置である
ことを特徴とする請求項１０に記載の画像出力装置の制御方法。
【請求項１２】
前記第１画像データは、ＡＣＥＳ規格の画像データであり、
前記変換プロファイルは、前記ＡＣＥＳ規格で定義されているＲＲＴ処理、ＯＤＴ処理、または、その両方を行うためのプロファイルである
ことを特徴とする請求項７〜１１のいずれか１項に記載の画像出力装置の制御方法。
【請求項１３】
請求項７〜１２のいずれか１項に記載の画像出力装置の制御方法の各ステップをコンピュータに実行させることを特徴とするプログラム。
【発明の詳細な説明】
【技術分野】
【０００１】
本発明は、画像出力装置、画像出力装置の制御方法、及び、プログラムに関する。
【背景技術】
【０００２】
従来の表示装置（通常色域モニタ）は、ＩＴＵ−Ｒ  ＢＴ．７０９やＤＣＩといった規格（通常色域規格）で定められた色域に対応している。一方、ＩＥＣ６１９６６−２−４（ｘｖＹＣＣ規格）やＳＭＰＴＥ  ＳＴ  ２０６５−１：２０１２（Ａｃａｄｅｍｙ  Ｃｏｌｏｒ  Ｅｎｃｏｄｉｎｇ  Ｓｐｅｃｉｆｉｃａｔｉｏｎ；ＡＣＥＳ）のようにより広い色域を定義する規格（広色域規格）が提案されている。このように画像データの情報量（色域）が増大するにつれ、広色域・高ダイナミックレンジの画像データの表示に対応した表示装置（広色域モニタ）の必要性が高まる。
【０００３】
ＡＣＥＳ規格の画像データ（ＡＣＥＳデータ）は、前述のように非常に広い色域やダイナミックレンジを扱っているので、そのまま通常色域モニタに表示することはできない。そこで、ＲＲＴ処理やＯＤＴ処理といった画像変換処理を行うことでＡＣＥＳデータをＩＴＵ−Ｒ  ＢＴ．７０９やＤＣＩ等の通常色域規格の画像データに変換し、変換後の画像データを通常色域モニタに表示することが想定されている。
【０００４】
画像制作の現場などでは、編集された画像データが所望の色合いになっているかどうかを確認するために、ベクトルスコープ表示機能を有する表示装置（モニタ）を使用するのが一般的である。ベクトルスコープ表示機能では、画像データの色分布（色信号の分布）を示すベクトルスコープ画像データが、当該画像データに重畳されるように補助表示される。ベクトルスコープ画像データは画像データの色分布を色相と彩度で表現した画像のデータである。具体的には、ベクトルスコープ画像データは、色相を角度、彩度を中心からの距離で示した円（色相環）の画像データである。
【０００５】
ベクトルスコープ表示機能に関する従来技術として、例えば、特許文献１に開示の技術がある。特許文献１に開示の技術では、画像データの色分布と、モニタが表示可能な色域の範囲とを示すベクトルスコープ画像データが生成される。
【先行技術文献】
【特許文献】
【０００６】
【特許文献１】特開２００２−１６９４８号公報
【発明の概要】
【発明が解決しようとする課題】
【０００７】
上述のように広色域規格の画像データを編集する編集作業（カラーコレクション作業など）では、広色域モニタが使用される。この編集作業に従来のベクトルスコープ表示機能を使用すれば、編集対象の画像データの色分布を示すベクトルスコープ画像データを補助表示することができ、編集効率を向上させることができる。
【０００８】
しかしながら、撮影された広色域規格の画像データを編集（加工）した後に、編集後の広色域規格の画像データを通常色域規格の画像データに変換して使用したいケースも存在する。上述したように、従来のベクトルスコープ表示機能を使用した場合には、編集作業において、編集対象の画像データ（広色域規格の画像データ）の色分布を示すベクトルスコープ画像データしか補助表示することができない。そのため、編集作業において、変換後の画像データ（通常色域規格の画像データ）の色分布を確認できず、編集作業をやり直
さなければならない虞があった。具体的には、編集作業においてＡＣＥＳデータを編集し、編集後のＡＣＥＳデータをＲＲＴ処理とＯＤＴ処理を施して通常色域モニタに表示する場合がある。この場合には、編集作業においてＲＲＴ処理とＯＤＴ処理を施した後の画像データの色分布を確認することができないため、編集作業をやり直さなければならない虞があった。
【０００９】
本発明は、画像データの編集作業をより効率良く行うことのできる技術を提供することを目的とする。
【課題を解決するための手段】
【００１０】
本発明の第１の態様は、
画像データを編集する編集作業で使用される第１表示装置に表示するベクトルスコープ画像データを出力する画像出力装置であって、
編集対象の第１画像データの色分布を示す第１ベクトルスコープ画像データを生成する第１生成手段と、
前記第１表示装置での表示に適した画像データを色域が前記第１表示装置より狭い第２表示装置での表示に適した画像データに変換するための変換プロファイルを用いて、前記第１画像データを前記第２表示装置での表示に適するように変換した第２画像データの色分布を示す第２ベクトルスコープ画像データを生成する第２生成手段と、
前記第１ベクトルスコープ画像データと前記第２ベクトルスコープ画像データの少なくとも一方を選択し、選択したベクトルスコープ画像データを出力する出力手段と、
を有することを特徴とする画像出力装置である。
【００１１】
本発明の第２の態様は、
画像データを編集する編集作業で使用される第１表示装置に表示するベクトルスコープ画像データを出力する画像出力装置の制御方法であって、
編集対象の第１画像データの色分布を示す第１ベクトルスコープ画像データを生成する第１生成ステップと、
前記第１表示装置での表示に適した画像データを色域が前記第１表示装置より狭い第２表示装置での表示に適した画像データに変換するための変換プロファイルを用いて、前記第１画像データを前記第２表示装置での表示に適するように変換した第２画像データの色分布を示す第２ベクトルスコープ画像データを生成する第２生成ステップと、
前記第１ベクトルスコープ画像データと前記第２ベクトルスコープ画像データの少なくとも一方を選択し、選択したベクトルスコープ画像データを出力する出力ステップと、
を有することを特徴とする画像出力装置の制御方法である。
【００１２】
本発明の第３の態様は、上述した画像出力装置の制御方法の各ステップをコンピュータに実行させることを特徴とするプログラムである。
【発明の効果】
【００１３】
本発明によれば、画像データの編集作業をより効率良く行うことができる。
【図面の簡単な説明】
【００１４】
【図１】実施例１に係る第１表示装置の構成の一例を示すハードウエアブロック図
【図２】実施例１に係る第１表示装置の構成の一例を示す機能ブロック図
【図３】実施例１に係るベクトルスコープ画像の一例を示す図
【図４】実施例２に係る第１表示装置の構成の一例を示すハードウエアブロック図
【図５】実施例２に係る第１表示装置の構成の一例を示す機能ブロック図
【図６】実施例２に係る第１表示装置の接続態様等の一例を示す図
【発明を実施するための形態】
【００１５】
＜実施例１＞
本発明の実施例１に係る画像出力装置及びその制御方法について説明する。
本実施例に係る画像出力装置は、画像データを編集する編集作業（カラーコレクション作業など）で使用される第１表示装置に表示するベクトルスコープ画像データを出力する装置である。
【００１６】
ベクトルスコープ画像データは画像データの色分布を色相と彩度で表現した画像のデータである。具体的には、ベクトルスコープ画像データは、色相を角度、彩度を中心からの距離で示した円（色相環）の画像データである。
【００１７】
編集作業では、例えば、パーソナルコンピュータ（ＰＣ）が編集対象の画像データを第１表示装置に出力し、第１表示装置が編集対象の画像データを表示する。編集者は、第１表示装置に表示された画像データを確認しながら、ＰＣを操作することにより画像データを編集する。編集が行われると、ＰＣから出力される画像データが編集後の画像データに更新され、第１表示装置の表示も更新される。
【００１８】
なお、本実施例では、画像出力装置が第１表示装置の一部である構成の例を説明するが、画像出力装置は、第１表示装置とは別体の装置であってもよい。例えば、画像出力装置は編集作業で使用されるＰＣの一部であってもよい。
【００１９】
図１は、本実施例に係る第１表示装置１００の構成の一例を示すハードウエアブロック図である。各ハードウエアブロックは内部バス１０７を介して互いに接続されており、ハードウエアブロック間のデータの送受信は内部バス１０７を介して実行される。
【００２０】
レシーバ１０１は、外部から入力された編集対象の画像データ（編集前の画像データまたは編集後の画像データ）を受信し、出力する。以後、編集対象の画像データを“第１画像データ”と記載する。第１画像データは、ＤｉｓｐｌａｙＰｏｒｔ（以下ＤＰ）などの画像入力端子を介して入力される。レシーバ１０１には、様々な規格の第１画像データを入力することができる。例えば、広色域・高ダイナミックレンジの規格（広色域規格）の第１画像データが入力される場合もあるし、狭色域・低ダイナミックレンジの規格（通常色域規格）の第１画像データが入力される場合もある。広色域規格は、例えば、ＳＭＰＴＥ  ＳＴ  ２０６５−１：２０１２（Ａｃａｄｅｍｙ  Ｃｏｌｏｒ  Ｅｎｃｏｄｉｎｇ  Ｓｐｅｃｉｆｉｃａｔｉｏｎ；ＡＣＥＳ）である。通常色域規格は、例えば、ＩＴＵ−Ｒ
ＢＴ．７０９、ＤＣＩ、ＳＲＧＢなどである。本実施例では、広色域規格の第１画像データが入力された場合について説明する。
【００２１】
ＣＰＵ１０４は、各種処理制御を実施するＣＰＵ（Ｃｅｎｔｒａｌ  Ｐｒｏｃｅｓｓｉｎｇ  Ｕｎｉｔ）である。また、ＣＰＵ１０４は、第１表示装置１００に表示するベクトルスコープ画像データを生成し、出力する画像出力装置としての機能を有する。ＣＰＵ１０４の処理の詳細については後述する。
【００２２】
メモリ１０５は、ＣＰＵ１０４で生成されたベクトルスコープ画像データを記憶する。
【００２３】
コントローラー１０６は、ユーザ（編集者）が行った入力操作を受け付け、その入力操作を示す操作情報をＣＰＵ１０４に送信する。
【００２４】
画像処理部１０２は、レシーバ１０１から出力された第１画像データに対し所定の画像処理を施す。所定の画像処理は、例えば、ガンマ特性や色温度を調整する処理である。
そして、画像処理部１０２は、所定の画像処理が施された後の第１画像データと、ＣＰ
Ｕ１０４で生成されたベクトルスコープ画像データとを合成する合成処理を行う。それにより、所定の画像処理が施された後の第１画像データによって表された画像に、ＣＰＵ１０４で生成されたベクトルスコープ画像データによって表されたベクトルスコープ画像が重畳された画像を表す表示用画像データが生成される。
画像処理部１０２は、表示用画像データを表示パネル１０３に出力する。
【００２５】
なお、所定の画像処理よりも前に合成処理が行われてもよい。具体的には、合成処理により、所定の画像処理が施される前の第１画像データによって表された画像に、ＣＰＵ１０４で生成されたベクトルスコープ画像データによって表されたベクトルスコープ画像が重畳された画像を表す合成画像データが生成されてもよい。そして、合成画像データに所定の画像処理を施すことにより、表示用画像データが生成されてもよい。所定の画像処理は、合成画像データの全ての画素に対して行われてもよいし、ベクトルスコープ画像が重畳されていない領域の画素に対してのみ行われてもよい。
なお、所定の画像処理は行われなくてもよい。即ち、上記合成画像データが表示用画像データとして使用されてもよい。
なお、ユーザ操作等に応じて、ベクトルスコープ画像データの表示と非表示が切り替えられてもよい。ベクトルスコープ画像データを表示する場合には、ベクトルスコープ画像データが、ベクトルスコープ画像データを表示しない場合には、所定の画像処理が施される前または後の第１画像データが、表示用画像データとして用いられてもよい。
【００２６】
表示パネル１０３は、画像処理部１０２から出力された画像データを表示する。表示パネル１０３は、広色域規格の画像データの表示に対応した表示パネルである。表示パネル１０３は、例えば、液晶表示パネル、プラズマ表示パネル、有機ＥＬ表示パネル、などである。液晶表示パネルは、例えば、画面内に配置された複数の液晶素子が画像データに応じた透過率でバックライトからの光を透過することにより、画面に画像を表示する表示パネルである。
【００２７】
なお、ＣＰＵ１０４（画像出力装置）が第１表示装置１００とは別体の装置に設けられていてもよいことと同様に、レシーバ１０１、メモリ１０５、コントローラー１０６、画像処理部１０２なども第１表示装置１００とは別体の装置に設けられていてもよい。画像処理部１０２については、所定の画像処理を実行する機能と、合成処理を実行する機能との少なくとも一方が第１表示装置１００とは別体の装置に設けられていてもよい。
【００２８】
図２を用いて、ＣＰＵ１０４の機能について詳しく説明する。図２は、本実施例に係る第１表示装置１００の構成の一例を示す機能ブロック図である。
【００２９】
第１生成部２０９は、第１画像データの色分布を示す第１ベクトルスコープ画像データを生成する。具体的には、第１生成部２０９は、第１画像データを取得し、取得した第１画像データを用いて第１ベクトルスコープ画像データを生成する。そして、第１生成部２０９は、生成した第１ベクトルスコープ画像データをメモリ１０５に記録する。
【００３０】
第１生成部２０９は、第１色相・彩度算出部２０２と第１ベクトルスコープ画像生成部２０３を有する。
【００３１】
第１色相・彩度算出部２０２は、レシーバ１０１から第１画像データを取得し、取得した第１画像データの各画素の色相と彩度を算出する。
【００３２】
なお、色相と彩度の算出方法は特に限定されない。画像データの画素値のみを用いて色相と彩度が算出されてもよいし、画像データの画素値と、表示装置の表示特性を示す特性情報とを用いて色相と彩度が算出されてもよい。
【００３３】
第１ベクトルスコープ画像生成部２０３は、第１色相・彩度算出部２０２で算出された色相と彩度に従って、第１ベクトルスコープ画像データを生成する。そして、第１ベクトルスコープ画像生成部２０３は、生成した第１ベクトルスコープ画像データをメモリ１０５に記録する。
【００３４】
第２生成部２１０は、第１画像データを第２表示装置での表示に適するように変換した第２画像データの色分布を示す第２ベクトルスコープ画像データを生成する。具体的には、第２生成部２１０は、第１画像データと変換プロファイルを取得し、取得した第１画像データと変換プロファイルを用いて第２ベクトルスコープ画像データを生成し、生成した第２ベクトルスコープ画像データをメモリ１０５に記録する。
【００３５】
第２表示装置は、色域が第１表示装置１００より狭い表示装置である。本実施例では、第２表示装置は、通常色域規格の画像データにのみ対応した表示装置である。第２表示装置は、編集後の画像データを表示するために使用される表示装置であればどのような表示装置であってもよく、例えば、編集作業よりも後の作業で使用される表示装置である。
【００３６】
変換プロファイルは、第１表示装置１００での表示に適した画像データを第２表示装置での表示に適した画像データに変換するためのプロファイルである。
【００３７】
第２生成部２１０は、色・階調変換処理部２０１、第２色相・彩度算出部２０４、及び、第２ベクトルスコープ画像生成部２０５を有する。
【００３８】
色・階調変換処理部２０１は、レシーバ１０１から第１画像データを取得し、プロファイル選択部２０７から変換プロファイルを取得する。そして、色・階調変換処理部２０１は、取得した変換プロファイルを用いて、取得した第１画像データを第２画像データに変換する。
例えば、変換後の色域やガンマ値などを示すデータが変換プロファイルとして取得され、色域変換処理やガンマ変換処理を行うことにより、第１画像データが第２画像データに変換される。
また、第１画像データがＡＣＥＳ規格の画像データ（ＡＣＥＳデータ）である場合には、変換プロファイルとして、ＡＣＥＳ規格で定義されているＲＲＴ処理（Ｒｅｆｅｒｅｎｃｅ  Ｒｅｎｄｅｒｉｎｇ  Ｔｒａｎｓｆｏｒｍ）、ＯＤＴ処理（Ｏｕｔｐｕｔ  Ｄｅｖｉｃｅ  Ｔｒａｎｓｆｏｒｍ）、または、その両方を行うためのプロファイルが取得される。そして、変換プロファイルを用いてＲＲＴ処理やＯＤＴ処理を行うことにより、第１画像データが第２画像データに変換される。
【００３９】
ＲＲＴ処理は、ＡＣＥＳデータ（ＲＲＴ処理前の画像データ）をある理想化された表示デバイスに適合したＯＣＥＳ（Ｏｕｔｐｕｔ  Ｃｏｌｏｒ  Ｅｎｃｏｄｉｎｇ  Ｓｐｅｃｉｆｉｃａｔｉｏｎ）規格の画像データに変換する基準レンダリング変換処理である。例えば、１Ｄ−ＬＵＴおよび３Ｄ−ＬＵＴを用いた階調変換処理や色補正処理等が含まれる。
そして、ＯＤＴ処理は、ＲＲＴ処理されたＯＣＥＳ規格の画像データを出力デバイス（本実施例では第２表示装置）に応じて変換する出力デバイス変換処理である。例えば、１Ｄ−ＬＵＴを用いた階調変換処理や色空間変換処理等が含まれる。
そのため、第１画像データがＡＣＥＳデータである場合には、ＲＲＴ処理やＯＤＴ処理で使用するルックアップテーブル（ＬＵＴ）が変換プロファイルとして取得され、使用される。
【００４０】
なお、ＡＣＥＳデータがＲＲＴ処理後の画像データである場合には、ＯＤＴ処理のみが
行われればよい。ＡＣＥＳデータがＲＲＴ処理前の画像データである場合には、ＲＲＴ処理とＯＤＴ処理の両方が行われればよい。但し、ＡＣＥＳデータがＲＲＴ処理前の画像データであっても、第２表示装置が上記理想化されたデバイスの特性を有する場合には、ＲＲＴ処理のみが行われればよい。
【００４１】
第２色相・彩度算出部２０４は、色・階調変換処理部２０１で生成された第２画像データの各画素の色相と彩度を算出する。
【００４２】
第２ベクトルスコープ画像生成部２０５は、第２色相・彩度算出部２０４で算出された色相と彩度に従って、第２ベクトルスコープ画像データを生成する。そして、第２ベクトルスコープ画像生成部２０５は、生成した第２ベクトルスコープ画像データをメモリ１０５に記録する。
【００４３】
なお、本実施例では、第２画像データを生成し、生成した第２画像データを用いて第２画像データの各画素の色相と彩度を算出したが、これに限らない。第２画像データは生成されなくてもよい。例えば、第１画像データの画素値と変換プロファイルとから第２画像データの画素値を算出し、算出した画素値を用いて色相と彩度を算出する処理を画素毎に行うことにより、第２画像データの各画素の色相と彩度が算出されてもよい。
【００４４】
ベクトルスコープ画像選択部２０６は、第１ベクトルスコープ画像データと第２ベクトルスコープ画像データの少なくとも一方を選択し、選択したベクトルスコープ画像データを出力する。具体的には、ベクトルスコープ画像選択部２０６は、入力解析部２０８から入力されたベクトルスコープ選択情報に従って、第１表示装置１００に表示するベクトルスコープ画像データを選択し、選択したベクトルスコープ画像データをメモリ１０５から読み出す。ベクトルスコープ選択情報はベクトルスコープ画像データを示す情報であり、ベクトルスコープ選択情報によって示されたベクトルスコープ画像データが選択される。そして、ベクトルスコープ画像選択部２０６は、読み出したベクトルスコープ画像データを画像処理部１０２に出力する。それにより、選択されたベクトルスコープ画像データによって表されたベクトルスコープ画像を含む画像が第１表示装置１００に表示される。
【００４５】
本実施例では、ベクトルスコープ画像選択部２０６は、第１ベクトルスコープ画像データまたは第２ベクトルスコープ画像データを選択した場合には、選択したベクトルスコープ画像データを出力する。
また、ベクトルスコープ画像選択部２０６は、第１ベクトルスコープ画像データと第２ベクトルスコープ画像データの両方を選択した場合は、第１ベクトルスコープ画像データと第２ベクトルスコープ画像データを合成する。それにより、第１画像データの色分布と第２画像データの色分布との両方を示す第３ベクトルスコープ画像データが生成される。そして、ベクトルスコープ画像選択部２０６は、選択した第１ベクトルスコープ画像データと第２ベクトルスコープ画像データの代わりに、生成した第３ベクトルスコープ画像データを出力する。
【００４６】
なお、第１ベクトルスコープ画像データと第２ベクトルスコープ画像データの両方が選択された場合には、第１ベクトルスコープ画像データと第２ベクトルスコープ画像データの両方が出力されてもよい。
【００４７】
プロファイル選択部２０７は、予め用意された複数の変換プロファイルの中から、入力解析部２０８から入力されたプロファイル選択情報に応じた変換プロファイルを選択する。そして、プロファイル選択部２０７は、選択した変換プロファイルを色・階調変換処理部２０１に出力する。例えば、ＩＴＵ−Ｒ  ＢＴ．７０９、ＤＣＩ、ＳＲＧＢ、ＡＣＥＳなどの複数の規格に対応する複数の変換プロファイルが予め用意されている。そして、第
２表示装置に対応する画像データの規格を示すプロファイル選択情報が入力され、プロファイル選択情報によって示された規格に対応する変換プロファイルが選択されて出力される。
【００４８】
入力解析部２０８は、コントローラー１０６から入力された操作情報から、ユーザが行った入力操作を解析する。そして、入力解析部２０８は、解析結果をプロファイル選択部２０７またはベクトルスコープ画像選択部２０６に出力する。入力操作は、例えば、第２表示装置に対応する画像データの規格を選択する規格選択操作、第１表示装置に表示するベクトルスコープ画像データを選択するベクトルスコープ選択操作、などである。
入力操作が規格選択操作である場合には、入力解析部２０８は、ユーザが選択した規格を示すプロファイル選択情報をプロファイル選択部２０７に出力する。
入力操作がベクトルスコープ選択操作である場合には、入力解析部２０８は、ユーザが選択したベクトルスコープ画像データを示すベクトルスコープ選択情報をベクトルスコープ画像選択部２０６に出力する。
【００４９】
図３に、第１表示装置１００に表示された画像（表示画像）の一例を示す。図３は、第１画像データが赤色（Ｒ）、緑色（Ｇ）、青色（Ｂ）、黄色（ＹＬ）、マゼンタ色（ＭＧ）、及び、シアン色（ＣＹ）を含む画像データである場合の表示画像の例を示す。図３のベクトルスコープ画像に記載の四角は、画像データが含む色の座標を示している。細線の四角は、第１画像データが含む色の座標を示し、太線の四角は第２画像データが含む色の座標を示す。四角に対応付けて記載されているアルファベット（Ｒ、Ｇ、Ｂ、ＹＬ、ＭＧ、及び、ＣＹ）は、その四角で示されている座標に対応する第１画像データの色を示す。例えば、Ｒが対応付けられている細線の四角は第１画像データの赤色を示し、Ｒが対応付けられている太線の四角は、第１画像データの赤色を変換した第２画像データの色を示す。
【００５０】
第１ベクトルスコープ画像データが選択された場合には、符号ａで示すように、第１ベクトルスコープ画像データによって表された第１ベクトルスコープ画像が表示される。
第２ベクトルスコープ画像データが選択された場合には、符号ｂで示すように、第２ベクトルスコープ画像データによって表された第２ベクトルスコープ画像が表示される。
第１ベクトルスコープ画像データと第２ベクトルスコープ画像データの両方が選択された場合には、符号ｃで示すように、第３ベクトルスコープ画像データによって表された第３ベクトルスコープ画像が表示される。
【００５１】
なお、第１ベクトルスコープ画像データと第２ベクトルスコープ画像データの両方が選択された場合には、符号ｄで示すように、第１ベクトルスコープ画像と第２ベクトルスコープ画像が並べて表示されてもよい。
【００５２】
以上述べたように、本実施例によれば、第１ベクトルスコープ画像データと第２ベクトルスコープ画像データが生成される。そして、第１画像データの色分布、第２画像データの色分布、または、その両方を示すベクトルスコープ画像データが第１表示装置に表示される。それにより、編集者は、編集作業中に、第１画像データの色分布だけでなく、第２画像データの色分布を確認することができる。そして、編集者は、編集作業中に、第１画像データを第２画像データに変換して第２表示装置に表示した場合にどのような色で画像データが表示されるのかを判断することができる。例えば、編集者は、編集後の第１画像データに第２表示装置に対応していない色の画素値が含まれているか否かを判断することができる。その結果、編集者は、第１画像データを第２画像データに変換して第２表示装置で表示した場合の画像の見えを考慮して編集作業を行うことができ、編集作業をより効率良く行うことができる。
【００５３】
なお、画像出力装置は、第１ベクトルスコープ画像データと第２ベクトルスコープ画像データとから、編集後の第１画像データに第２表示装置に対応していない色の画素値が含まれているか否かを判断してもよい。そして、編集後の第１画像データに第２表示装置に対応していない色の画素値が含まれている場合には、画像出力装置は、第２表示装置に対応していない色の画素値が存在することを示すエラー画像のデータを出力してもよい。編集作業中にそのようなエラー画像が第１表示装置に表示されることにより、編集者は、編集後の第１画像データに第２表示装置に対応していない色の画素値が含まれているか否かを容易に判断することができる。エラー画像は、例えば、第１画像データなどに重畳して表示される。
【００５４】
なお、本実施例では、ユーザ操作に応じてベクトル画像データを選択する構成について説明したが、これに限らない。例えば、所定の種類のベクトル画像データが常に選択されて出力されてもよい。具体的には、第１ベクトルスコープ画像データと第２ベクトルスコープ画像データの両方が常に選択され、それらのベクトルスコープ画像データ（または第３ベクトルスコープ画像データ）が出力されてもよい。
【００５５】
＜実施例２＞
本発明の実施例２に係る画像出力装置及びその制御方法について説明する。
実施例１では、画像出力装置内に変換プロファイルが予め記録されている構成の例を説明した。しかし、第２表示装置を用いて行われる作業では、画像出力装置とは異なる外部装置が変換プロファイルを用いて第１表示装置での表示に適した画像データを第２表示装置での表示に適した画像データに変換することが想定される。そして、外部装置でそのような変換が行われる場合には、外部装置から変換プロファイルを取得することができる。そこで、本実施例では、画像出力装置が外部装置から変換プロファイルを取得する構成の例を説明する。そのような構成によれば、画像出力装置内に変換プロファイルを用意する必要がなくなるため、画像出力装置のハードウエアコストを低減することができる。また、変換プロファイルをユーザが選択する煩わしさを解消することができる。
第２表示装置を用いて行われる作業は、例えば、画像データを確認する確認作業、動画像データのシーン編集（シーンの追加やカットなど）を行うシーン編集作業、などである。
【００５６】
なお、以下では実施例１と異なる構成についてのみ説明し、実施例１と同じ構成については説明を省略する。
なお、本実施例では、第２表示装置から変換プロファイルを取得する構成の例を説明するが、これに限らない。例えば、第２表示装置を用いて行われる作業においてＰＣが上記の変換を行う場合には、当該ＰＣから変換プロファイルが取得されてもよい。また、変換プロファイルを記憶している外部装置であれば、どのような外部装置から変換プロファイルが取得されてもよい。
【００５７】
図４は、本実施例に係る第１表示装置３００の構成の一例を示すハードウエアブロック図である。
【００５８】
通信処理部３０６は外部装置との通信を行う。第１表示装置３００と外部装置の間の通信は、第１表示装置３００と外部装置の接続方法に対応した通信プロトコルに従って行われる。本実施例では、図６に示すように第１表示装置３００と第２表示装置とが互いに接続されており、通信処理部３０６は第２表示装置との通信を行う。
【００５９】
なお、第１表示装置３００と外部装置はＳＤＩケーブルなどを用いて互いに有線接続されていてもよいし、無線接続されていてもよい。
【００６０】
ＣＰＵ３０４は、実施例１（図１）のＣＰＵ１０４と同様の機能を有する。具体的には、ＣＰＵ３０４は、各種処理制御を実施するＣＰＵ（Ｃｅｎｔｒａｌ  Ｐｒｏｃｅｓｓｉｎｇ  Ｕｎｉｔ）である。また、ＣＰＵ３０４は、第１表示装置３００に表示するベクトルスコープ画像データを生成し、出力する画像出力装置としての機能を有する。
【００６１】
図５を用いて、ＣＰＵ３０４の機能について詳しく説明する。図２は、本実施例に係る第１表示装置３００の構成の一例を示す機能ブロック図である。
【００６２】
第２生成部４１０は、実施例１（図２）の第２生成部２１０と同様の機能を有する。具体的には、第２生成部４１０は、第２画像データの色分布を示す第２ベクトルスコープ画像データを生成する。第２生成部４１０は、色・階調変換処理部２０１の代わりに色・階調変換処理部４０１を有する。
【００６３】
色・階調変換処理部４０１は、レシーバ１０１から第１画像データを取得し、プロファイル取得部４０７から変換プロファイルを取得する。そして、色・階調変換処理部４０１は、取得した変換プロファイルを用いて、取得した第１画像データを第２画像データに変換する。
【００６４】
ベクトルスコープ画像合成部４０６は、メモリ１０５から第１ベクトルスコープ画像データと第２ベクトルスコープ画像データを取得する。そして、ベクトルスコープ画像合成部４０６は、取得した第１ベクトルスコープ画像データと第２ベクトルスコープ画像データを合成して第３ベクトルスコープ画像データを生成し、生成した第３ベクトルスコープ画像データを画像処理部１０２に出力する。
【００６５】
プロファイル取得部４０７は、通信処理部３０６を介して、外部装置から変換プロファイルを取得する。本実施例では、第２表示装置から変換プロファイルが取得される。
【００６６】
図６に、第１表示装置３００の接続態様、及び、第１表示装置３００に表示された画像の一例を示す。
本実施例では、図６に示すように、第１表示装置３００が第２表示装置に接続されており、第２表示装置から変換プロファイルが取得される。そして、取得した変換プロファイルを用いた変換後の画像データ（第２画像データ）の色分布と、変換前の画像データ（第１画像データ）の色分布との両方を示す第３ベクトルスコープ画像が表示される。
【００６７】
以上述べたように、本実施例によれば、第１ベクトルスコープ画像データと第２ベクトルスコープ画像データが生成される。そして、第１画像データの色分布と、第２画像データの色分布との両方を示す第３ベクトルスコープ画像データが第１表示装置に表示される。それにより、編集者は、編集作業中に、第１画像データの色分布だけでなく、第２画像データの色分布を確認することができる。そして、編集者は、編集作業中に、第１画像データを第２画像データに変換して第２表示装置に表示した場合にどのような色で画像データが表示されるのかを判断することができる。例えば、編集者は、編集後の第１画像データに第２表示装置に対応していない色の画素値が含まれているか否かを判断することができる。その結果、編集者は、第１画像データを第２画像データに変換して第２表示装置で表示した場合の画像の見えを考慮して編集作業を行うことができ、編集作業をより効率良く行うことができる。
【００６８】
また、本実施例では、第２表示装置から変換プロファイルが取得され、取得された変換プロファイルを用いて第２ベクトルスコープ画像データが生成される。それにより、第２表示装置の色域やガンマ値がユーザによってカスタマイズされている場合にも、そのようなカスタマイズが反映された変換プロファイルを取得することができる。その結果、第１
画像データを第２画像データに変換して第２表示装置に表示した場合にどのような色で画像データが表示されるのかを高精度に判断することができる。そして、編集者は、編集後の第１画像データに第２表示装置に対応していない色の画素値が含まれているか否かを高精度に判断することができる。
【００６９】
なお、本実施例では、画像出力装置に１つの外部装置が接続されている場合における処理について説明したが、画像出力装置に複数の外部装置（例えば、複数の表示装置）が接続されてもよい。
その場合には、複数の外部装置のそれぞれから変換プロファイルが取得され、複数の変換プロファイルを用いて複数の第２ベクトルスコープ画像データが生成されてもよい。そして、複数の第２ベクトルスコープ画像データ、複数の第２ベクトルスコープ画像データで示される複数の色分布を示す第３ベクトルスコープ画像データ、などが出力されてもよい。
具体的には、画像出力装置は第３表示装置と第４表示装置に接続されていてもよい。第３表示装置は、変換プロファイルＡ１を用いて第１画像データを第３画像データに変換し、第３画像データを表示する表示装置である。第４表示装置は、変換プロファイルＢ１を用いて第１画像データを第４画像データに変換し、第４画像データを表示する表示装置である。その場合、第３表示装置から変換プロファイルＡ１が取得され、第４表示装置から変換プロファイルＢ１が取得されてもよい。そして、変換プロファイルＡ１を用いて第３画像データの色分布を示すベクトルスコープ画像データＡ２が生成され、変換プロファイルＢ１を用いて第４画像データの色分布を示すベクトルスコープ画像データＢ２が生成されてもよい。その後、ベクトルスコープ画像データＡ２とベクトルスコープ画像データＢ２、第３画像データの色分布と第４画像データの色分布を示す第３ベクトルスコープ画像データ、などが出力されてもよい。
【００７０】
なお、本実施例では、常に第１ベクトルスコープ画像データと第２ベクトルスコープ画像データの両方を選択し、第３ベクトルスコープ画像データを出力する構成について説明したが、これに限らない。実施例１と同様に、出力するベクトルスコープ画像データがユーザ操作等に応じて選択されてもよい。
【００７１】
＜その他の実施例＞
記憶装置に記録されたプログラムを読み込み実行することで前述した実施例の機能を実現するシステムや装置のコンピュータ（又はＣＰＵ、ＭＰＵ等のデバイス）によっても、本発明を実施することができる。また、例えば、記憶装置に記録されたプログラムを読み込み実行することで前述した実施例の機能を実現するシステムや装置のコンピュータによって実行されるステップからなる方法によっても、本発明を実施することができる。この目的のために、上記プログラムは、例えば、ネットワークを通じて、又は、上記記憶装置となり得る様々なタイプの記録媒体（つまり、非一時的にデータを保持するコンピュータ読取可能な記録媒体）から、上記コンピュータに提供される。したがって、上記コンピュータ（ＣＰＵ、ＭＰＵ等のデバイスを含む）、上記方法、上記プログラム（プログラムコード、プログラムプロダクトを含む）、上記プログラムを非一時的に保持するコンピュータ読取可能な記録媒体は、いずれも本発明の範疇に含まれる。
【符号の説明】
【００７２】
１０４，３０４  ＣＰＵ
２０６  ベクトルスコープ画像選択部
２０９，４０９  第１生成部
２１０，４１０  第２生成部
４０６  ベクトルスコープ画像合成部
【図１】
2015087857.tif 000003
【図２】
2015087857.tif 000004
【図３】
2015087857.tif 000005
【図４】
2015087857.tif 000006
【図５】
2015087857.tif 000007
【図６】
2015087857.tif 000008